(57)【特許請求の範囲】
【請求項１】
便器の上端周縁に沿った形状の便座支持体を同便器の後部で枢支し、該便座支持体の上面を内下方へ傾斜させその上に同便器の上端周縁に沿った略円形状のガイド手段を介して便座本体を載設し、該便座本体を同ガイド手段に沿って略水平面内で回動自在となるように支持してなる便座装置であって、前記ガイド手段がリング状の回転ベアリングで形成され、前記リング状の回転ベアリングが上受け部材と中ベアリング本部材と下受け部材からなる三重構造であり、前記上受け部材の下面及び前記下受け部材の上面は全周にわたって内下方に傾斜されてなり、前記中ベアリング本部材は上下逆の円錐台の周面に沿った形状に全体が内下方へと傾斜されてなることを特徴とする便座装置。
【請求項２】
便座本体をその回動を停止させて固定するロック手段を備えたことを特徴とする請求項１記載の便座装置。
【請求項３】
通常時は弾性によって固定状態が保持されており、弾性に抗して操作された時にのみ同固定状態が解除されるロック手段であることを特徴とする請求項２記載の便座装置。
【請求項４】
便座本体に弾接して該便座本体の回動を所定の位置で静止させるラッチ手段を備えたことを特徴とする請求項１〜３のいずれか一つに記載の便座装置。
【請求項５】
便座本体の回動を該便座本体が真正面前方を向いた位置で静止させるラッチ手段であることを特徴とする請求項４記載の便座装置。
【請求項６】
便座本体の回動範囲を規制するストッパー手段を備えたことを特徴とする請求項１〜５のいずれか一つに記載の便座装置。
【請求項７】
便座本体の回動時に該便座本体の表面に摺接する拭き取り手段を備えたことを特徴とする請求項１〜６のいずれか一つに記載の便座装置。
【発明の詳細な説明】
【０００１】
【発明の属する技術分野】
本発明は、便器上に便座本体が略水平面内で回動自在となるよう設置された便座装置に関するものである。
【０００２】
【従来の技術】
従来から、図１７、１８に示す如く、便器１上に便座本体５が水平面内で回動自在となるよう設置された便座装置は知られている（特開平７−２０４１２５号公報）。この場合、円形状の便座支持体２を便器１の後部上で枢支して、該便座支持体２の上面には同円形状に沿ったガイド溝３６を形成し、該ガイド溝３６に転動自在に係合されるガイドコロ３７を便座本体５の下側に周方向で複数配設し、該ガイドコロ３７を介して同便座本体５を同ガイド溝３６に沿って水平面内で回動自在となるように支持している。
【０００３】
したがって、この場合には、便座本体５を便器１上で回動させることができるので、該便座本体５上に着座している使用者は着座状態のままで向きを変えることができ、例えば、側方にあるトイレットペーパーを繰り出す際等に便利であるのはもちろんのこと、着座したり立ち上がったりする際、特に使い勝手が良好となる。
【０００４】
すなわち、着座したり立ち上がったりする際には、トイレの出入口に向かってその動作を行うのが最も動きが少なくて楽であり、例えば、トイレの出入口が便器１の側方に位置する場合には、便座本体５を同側方に向くように回動させて着座したり立ち上がったりすることで同動作を楽に行うことができ、特に、使用者が高齢者や身体の不自由な人である場合に有効となる。しかも、使用者が高齢者や身体の不自由な人である場合には、介護者が使用者の着座したり立ち上がったりする動作を補助することがあり、その際、介護者は使用者の向きを補助し易い方向とすることで介護作業を楽に行うことができる。
【０００５】
【発明が解決しようとする課題】
しかしながら、上記従来の技術においては、着座している使用者の体重の偏りによって一つのガイドコロ３７に荷重が集中し易いため、便座本体５が確実には支持されないものであり、しかも、ガイドコロ３７がガイド溝３６内でがたつき易いこともあって、便座本体５は水平方向にずれ動き易くスムーズに回動されないという問題があった。
【０００６】
又、便器１内の洗浄水や汚水が飛散して該便器１と便座本体５との間に侵入した場合、ガイド溝３６とガイドコロ３７とでなるガイド手段４に同洗浄水や汚水が至って溜まり易く、同便座本体５はスムーズに回動され難くなるという問題があった。又、洗浄水や汚水と共に薬品や洗剤が便器１と便座本体５との間に侵入することもあり、この場合には、ガイド手段４が腐食したりそのメンテナンスが困難になるという問題もあった。
【０００７】
本発明は、上記従来の技術における問題を悉く解決するために発明されたもので、すなわち、その課題は、便座本体が確実に支持されてスムーズに回動される便座装置を提供することである。
【０００８】
【課題を解決するための手段】
本発明の請求項１記載の便座装置は、便器の上端周縁に沿った形状の便座支持体を同便器の後部で枢支し、該便座支持体の上面を内下方へ傾斜させその上に同便器の上端周縁に沿った略円形状のガイド手段を介して便座本体を載設し、該便座本体を同ガイド手段に沿って略水平面内で回動自在となるように支持してなるものである。
【０００９】
したがって、この場合、便器上の便座本体を略水平面内で回動させることができるので、該便座本体上に着座している使用者は着座状態のままで向きを変えることができて便利であり、しかも、着座したり立ち上がったりする際の使い勝手が良好となる。又、便座支持体は便器の後部で枢支されているので、該便座支持体と共に便座本体をその不使用時に同便器の後部側へ回動させて邪魔にならないよう納めることができる。
【００１０】
更に、この場合には、便座本体にかかる荷重が内下方へ傾斜した便座支持体の上面と直交する方向で受けられるので、便座本体の回動中心がずれ動き難くて該便座本体は安定した状態で回動され、略円形状のガイド手段に周方向で均等に荷重がかかることにもなって、同便座本体は安定して確実に支持されると共にスムーズに回動される。
【００１１】
又、便座支持体の上面が内下方へ傾斜しているので、便器内の洗浄水や汚水或いは薬品や洗剤等がガイド手段にまで至ることは防止され、万一、ガイド手段にまで至っても、内下方の同便器内へと速やかに排出され、便座本体がスムーズに回動され難くなることはなく、しかも、同ガイド手段は腐蝕し難くなってそのメンテナンス性も向上される。
【００１２】
本発明の請求項１記載の便座装置は、上記の便座装置において、ガイド手段をリング状の回転ベアリングで形成したものである。したがって、この場合は特に、リング状の回転ベアリングにかかる外力が周方向全長にわたって分散されるので、ガイド手段にはより均等に荷重がかかることになって、便座本体は更にスムーズに回動されるようになる。又、リング状の回転ベアリングで形成されるガイド手段を便座支持体と便座本体との間に介在させて簡単に組み立てることができるので、製造も簡単となる。又、前記リング状の回転ベアリングが上受け部材と中ベアリング本部材と下受け部材からなる三重構造であり、前記上受け部材の下面及び前記下受け部材の上面は全周にわたって内下方に傾斜されてなり、前記中ベアリング本部材は上下逆の円錐台の周面に沿った形状に全体が内下方へと傾斜されてなるものであり、便座本体にかかる着座した人の荷重が内下方へ傾斜した便座支持体の上面（回転ベアリングの下受け部材の上面）と直交する方向で受けられるので、便座本体の回動中心がずれ動き難くて該便座本体は安定した状態で回動され、略円形状のガイド手段に周方向で均等に荷重がかかることにもなって、同便座本体は安定して確実に支持されると共にスムーズに回動される。
【００１３】
本発明の請求項２記載の便座装置は、上記請求項１記載の便座装置において、便座本体をその回動を停止させて固定するロック手段を備えたものである。したがって、この場合は特に、着座時にロック手段で回動を停止させ便座本体を固定することによって、安定した座り心地の良さを得ることができ、又、便座本体の不用意な回動を防止して安全性を向上させることもできる。
【００１４】
本発明の請求項３記載の便座装置は、上記請求項２記載の便座装置において、通常時は弾性によって固定状態が保持されており、弾性に抗して操作された時にのみ同固定状態が解除されるロック手段としたものである。したがって、この場合は特に、通常時はロック手段で弾性により必然的に便座本体の固定状態が保持されるので、該便座本体の不用意な回動は確実に防止され安全性が更に向上される。又、便座本体を回動させる際には、弾性に抗しロック手段を操作することによって簡単に該ロック手段による固定状態を解除することができる。
【００１５】
本発明の請求項４記載の便座装置は、上記請求項１〜３のいずれか一つに記載の便座装置において、便座本体に弾接して該便座本体の回動を所定の位置で静止させるラッチ手段を備えたものである。したがって、この場合は特に、便座本体を所定の回動位置で静止させる際、該便座本体に弾接係合するラッチ手段によって位置決め作業がクリック的に容易に行われるようになる。
【００１６】
本発明の請求項５記載の便座装置は、上記請求項４記載の便座装置において、便座本体の回動を該便座本体が真正面前方を向いた位置で静止させるラッチ手段としたものである。したがって、この場合は特に、ラッチ手段によって便座本体の回動が通常使用状態の真正面前方を向いた位置で静止されるので、便座本体を回動させて同通常使用状態に容易に復帰させることができ、使い勝手は更に良好となる。
【００１７】
本発明の請求項６記載の便座装置は、上記請求項１〜５のいずれか一つに記載の便座装置において、便座本体の回動範囲を規制するストッパー手段を備えたものである。したがって、この場合は特に、ストッパー手段で便座本体の回動範囲を規制することによって、該便座本体の不必要な回動を防止することができ、使い勝手や安全性をより向上させることができる。
【００１８】
本発明の請求項７記載の便座装置は、上記請求項１〜６のいずれか一つに記載の便座装置において、便座本体の回動時に該便座本体の表面に摺接する拭き取り手段を備えたものである。したがって、この場合は特に、便座本体の回動に伴って拭き取り手段が該便座本体の表面に摺接され、該表面上の汚れやゴミ等が同拭き取り手段によって自動的に除去されるので、衛生状態が保持されると共に清掃作業も簡略化される。
【００１９】
【発明の実施の形態】
図１〜９は、本発明の請求項１〜６に対応する一実施形態を示しており、該実施形態の便座装置は、便器１の上端周縁に沿った形状の便座支持体２を同便器１の後部で枢支し、該便座支持体２の上面３を内下方へ傾斜させその上に同便器１の上端周縁に沿った略円形状のガイド手段４を介して便座本体５を載設し、該便座本体５を同ガイド手段４に沿って略水平面内で回動自在となるように支持してなる。
【００２０】
更に、該実施形態の便座装置においては、ガイド手段４をリング状の回転ベアリング６で形成している。又、便座本体５をその回動を停止させて固定するロック手段７を備えており、この場合、通常時は弾性によって固定状態が保持されており、弾性に抗して操作された時にのみ同固定状態が解除されるロック手段７である。又、便座本体５に弾接して該便座本体５の回動を所定の位置で静止させるラッチ手段８を備えており、この場合、便座本体５の回動を該便座本体５が真正面前方を向いた位置で静止させるラッチ手段８である。又、便座本体５の回動範囲を規制するストッパー手段９をも備えている。
【００２１】
以下、該実施形態の便座装置の具体的な構成を詳細に説明する。便器１は洋式水洗便器であり、その内部に洗浄水を勢い良く流して該洗浄水を排泄汚物と
共に排水除去するものである。便器１の後部上面には温水局部洗浄装置11が設置固定されており、該温水局部洗浄装置11に便座支持体２が枢支されている。温水局部洗浄装置11には便器１内へ進退自在に突出するノズル（図示せず）が設けられており、該ノズル先端から噴出される温水によって人体局部を洗浄することができる。
【００２２】
この場合、便器１の後部上面に一対の固定穴１２が形成され、該両固定穴１２に挿通螺合されるボルト（図示せず）によって温水局部洗浄装置１１は取着固定されている。又、温水局部洗浄装置１１には両側に枢支軸１３が配設されており、該両枢支軸１３に、リング状の便座支持体２の後端に突設された取着支持部１４両側に配設される両枢支片１５が回動自在に係止取着されることによって、該便座支持体２は枢支されている。
【００２３】
したがって、便座支持体２は枢支軸１３を中心に上下方向に回動されるものであり、該便座支持体２の下面には周方向で複数のゴム座１６が配設されていて、該ゴム座１６を介して同便座支持体２は便器１上に当接支持される。又、ゴム座１６には圧力センサー（図示せず）が内蔵されており、該圧力センサーは便座本体５上に着座されたことを検知して該検知信号を温水局部洗浄装置１１へ送信する。
【００２４】
ガイド手段４となるリング状の回転ベアリング６は三重構造で、上受け部材６ａと中ベアリング本部材６ｂと下受け部材６ｃとでなり、便座支持体２と便座本体５との間に介設取着されている。この場合、回転ベアリング６の下受け部材６ｃの上面が便座支持体２の上面として、全周にわたって内下方へと傾斜されている。回転ベアリング６の上受け部材６ａの下面も同様に内下方へと傾斜されており、中ベアリング本部材６ｂは上下逆の円錐台の周面に沿った形状に全体が内下方へと傾斜するよう形成されている。
【００２５】
便座本体５はリング状で、リング状の回転ベアリング６に沿って水平面内で回動自在となるよう、便座支持体２上に載設支持されている。便座本体５にはヒータ（図示せず）が内蔵されており、該ヒータは上記温水局部洗浄装置１１と電気的に接続されていて同便座本体５を暖房する。又、図３、４に示す如く、便座本体５の回動を停止させて固定するロック手段７は便座支持体５の前端中央に、便座本体５に弾接してその回動を所定の位置で静止させるラッチ手段８は便座支持体５の後端中央に、各々配設されている。
【００２６】
ロック手段７は、図５、６に示す如く、便座本体５の外周面下部に形成される係合穴１７に係合ピン１８を係止させて、該便座本体５の回動を停止固定させるものである。この場合、係合穴１７は便座本体５の外周面下部に周方向で等ピッチで複数配設されているが、少なくとも、同便座本体５が真正面前方を向いた際に係合ピン１８が係止され得る位置には形成される。又、係合ピン１８は両側一対のスプリング１９によって便座本体５の外周面に向かって弾発付勢されており、該弾性によって通常時には同係合ピン１８が係合穴１７に係止された状態が保持される。又、操作ボタン２０を押し操作した際に、係合ピン１８が前記弾性に抗し引退動作されて係合穴１７から外れる。
【００２７】
すなわち、操作ボタン２０を手で押し操作すると、シーソー機構２１を介して係合ピン１８が引退動作され係合穴１７から外れ、便座本体５の固定状態が解除されて該便座本体５を自由に回動させることができる。又、同操作ボタン２０から手を離すと、係合ピン１８が便座本体５の外周面に向かって弾発突出し、その位置で係合穴１７に係止して同便座本体５の回動は停止固定される。この場合、ロック手段７が便座支持体５の前端中央に位置しているので、膝の間に位置することになる一つの操作ボタン２０を操作することによって、同ロック手段７の固定及び解除を簡単に行うことができる。
【００２８】
又、この場合に、操作ボタン２０の代わりにソレノイドを用いて、電気的に係合ピン１８が係合穴１７に係脱されるようになすと、該係脱動作は静かに且つ更に容易に行われるようにもなる。又、操作ボタン２０の操作が、ケーブルを介して遠隔操作されるようになしても良いものである。
【００２９】
ラッチ手段８は、図７、８に示す如く、便座本体５の外周面上部に形成される平面部２２に便座支持体２から突出される当接体２３を弾接させることによって、同便座本体５の回動を所定の位置で静止させるものである。この場合、平面部２２は便座本体５の外周面上部に周方向で等ピッチ（図７では１５度、図８（概略）では６０度の角度ピッチ）で複数配設されているが、少なくとも、同便座本体５が真正面前方を向いた際に当接体２３が弾接され得る位置には形成される。又、当接体２３は便座支持体２後端の取着支持部１４から便座本体５の外周面に向かって突設されており、同取着支持部１４に内蔵されたバネ材２４によって内方へ弾発付勢されている。
【００３０】
なお、便座本体５が後方を向いた状態となるまでに回動されるとは想定し難いので、平面部２２は同便座本体５の外周後側略半分の範囲内に配設されている。したがって、便座本体５を回動させている際、当接体２３は該便座本体５の外周面に弾接しながら摺動して平面部２２に弾接した位置で、クリック感が得られて同便座本体５の回動は静止され、該クリック感を乗り越えるようにして同便座本体５を更に回動させることができる。
【００３１】
ストッパー手段９は、図９に示す如く、便座支持体２の内周に突設される凸起２５と、便座本体５の外周面中程に形成される凹溝２６とでなる。凸起２５は便座支持体２の取着支持部１４から内方へ突設されており、凹溝２６は便座本体５の外周面中程に所定の周方向長さとなるように形成されている。この場合、便座本体５が後方を向いた状態となるまでに回動されるとは想定し難いので、凹溝２６は同便座本体５の外周後側略半分の範囲内に形成されており、該便座本体５の回動範囲は同ストッパー手段９によって、真正面前方を向いた位置から両側方へ各々略９０度に規制される。
【００３２】
したがって、該実施形態の便座装置においては、便座本体５を便器１上で回動させることができるので、該便座本体５上に着座している使用者は着座状態のままで向きを変えることができ、例えば、側方にあるトイレットペーパーを繰り出す際等に便利であるのはもちろんのこと、着座したり立ち上がったりする際、特に使い勝手が良好となる。
【００３３】
すなわち、着座したり立ち上がったりする際には、トイレの出入口に向かってその動作を行うのが最も動きが少なくて楽であり、例えば、トイレの出入口が便器１の側方に位置する場合には、便座本体５を同側方に向くように回動させて着座したり立ち上がったりすることで同動作を楽に行うことができ、特に、使用者が高齢者や身体の不自由な人である場合に有効となる。例えば、車椅子と便座本体５との間における移動に際して、該便座本体５を同移動に適切な向きとすることができて有効である。しかも、使用者が高齢者や身体の不自由な人である場合には、介護者が使用者の着座したり立ち上がったりする動作を補助することがあり、その際、介護者は使用者の向きを補助し易い方向とすることで介護作業を楽に行うことができる。
【００３４】
更に、該実施形態の便座装置においては、便座支持体２は便器１の後部で枢支されているので、該便座支持体２と共に便座本体５をその不使用時に同便器１の後部側へ回動させて邪魔にならないよう納めることができる。
【００３５】
又、特に、本発明の一実施形態となる該便座装置においては、便座本体５にかかる着座した人の荷重が内下方へ傾斜した便座支持体２の上面（回転ベアリング６の下受け部材６ｃの上面）と直交する方向で受けられるので、便座本体５の回動中心がずれ動き難くて該便座本体５は安定した状態で回動され、略円形状のガイド手段４に周方向で均等に荷重がかかることにもなって、同便座本体５は安定して確実に支持されると共にスムーズに回動される。
【００３６】
更には、便座支持体２の上面が内下方へ傾斜しているので、便器１内の洗浄水や汚水或いは薬品や洗剤等が該便器１と便座本体５との間に深く侵入し難くガイド手段４にまで至ることは防止され、万一、ガイド手段４にまで至っても、内下方の同便器１内へと速やかに排出されて、同便座本体５がスムーズに回動され難くなることはなく、しかも、同ガイド手段４は腐蝕し難くなってそのメンテナンス性も向上されている。
【００３７】
又、該実施形態の便座装置においては、ガイド手段４がリング状の回転ベアリング６で形成されているので、該回転ベアリング６にかかる外力が周方向全
長にわたって分散され、ガイド手段４にはより均等に荷重がかかることになって、便座本体５は更にスムーズに回動されるようになる。又、リング状の回転ベアリング６で形成されるガイド手段４を便座支持体２と便座本体５との間に介在させて簡単に組み立てることができるので、製造も簡単となっている。
【００３８】
又、該実施形態の便座装置においては、着座時にロック手段７で回動を停止させ便座本体５を固定することによって、安定した座り心地の良さを得ることができる。又、便座本体５の不用意な回動を防止することもでき、例えば、使用者が誤って、或いは、高齢者や身体の不自由な人が便座本体５をつかみ持って身体を支えようとした際に、該便座本体５が固定されていることで、同身体は確実に支えられて安全性が向上される。しかも、この場合、通常時はロック手段７で弾性により必然的に便座本体５の固定状態が保持されるので、該便座本体５の不用意な回動は確実に防止され安全性が更に向上される。又、便座本体５を回動させる際には、弾性に抗しロック手段７を操作することによって簡単に該ロック手段７による固定状態を解除することができる。
【００３９】
又、該実施形態の便座装置においては、便座本体５を所定の回動位置で静止させる際、該便座本体５に弾接係合するラッチ手段８によって位置決め作業がクリック的に容易に行われるようになる。しかも、この場合、ラッチ手段８によって便座本体５の回動が少なくとも通常使用状態の真正面前方を向いた位置で静止されるので、便座本体５を回動させて同通常使用状態に容易に復帰させることができ、使い勝手は更に良好となる。又、ストッパー手段９で便座本体５の回動範囲を規制することによって、該便座本体５が必要以上に後方へ回動することを防止することができ、使い勝手や安全性はより向上されている。
【００４０】
図１０は、本発明の請求項１〜７に対応する別の実施形態を示しており、該実施形態の便座装置においては、便座本体５の回動時に該便座本体５の表面に摺接する拭き取り手段10を備えている。この場合、拭き取り手段10は布片やブラシでなり、便座支持体２後端の取着支持部14に固定突設されている。したがって、この場合は特に、便座本体５の回動に伴って拭き取り手段10が該便座本体５の表面に摺接されるので、該表面上の汚れやゴミ等が同拭き取り手段10によって自動的に除去され、衛生状態が保持されると共に清掃作業も簡略化される。なお、それ以外は、上記実施形態と全く同様に構成されているので、上記実施形態におけると同様の作用効果が奏される。
【００４１】
図１１〜１４は、本発明の参考例を示している。図１１に示す便座装置においては、ガイド手段４がリング状で一重構造の回転ベアリング６で形成されている。図１２に示す便座装置においては、ガイド手段４が、便座支持体２の内周底面に全周にわたり突設されるガイドレール27と、便座本体５の下面に全周にわたり凹設されて同ガイドレール27に摺接係合されるガイド溝28と、で形成されている。図１３に示す便座装置においては、ガイド手段４が、便座支持体２の内周底面に周方向で複数均等ピッチ間隔に配設される回転ボール29と、便座本体５の下面に全周にわたり凹設されて同回転ボール29が転動係合されるガイド溝28と、で形成されている。図１４に示す便座装置においては、ガイド手段４が、便座支持体２の内周底面に全周にわたり凹設されるガイド溝28と、便座本体５の下面に周方向で複数均等ピッチ間隔に配設される回転コロ30と、で形成されている。
【００４２】
これ等の場合、便座支持体２の上面となる内周底面自体が内下方へ傾斜するように形成されている。又、ガイドレール27やガイド溝28の形状を円形以外の任意な形状となすことが可能で、そうすることによって、便座本体５を円形以外の所望の軌道で回動させることができるようにもなる。なお、ガイド手段４以外は、上記図１〜９に示した実施形態と全く同様に構成されている。
【００４３】
図１５は、本発明の更に別の実施形態を示しており、該実施形態の便座装置においては、ロック手段７として、次のような構成を採用している以外、上記図１〜９に示した実施形態と全く同様に構成されている。すなわち、便座本体５の外周面の適所に先端が当止する回動片３１と、該回動片３１をその先端が便座本体５の外周面に当止するよう弾発付勢するコイルバネ３２（一端が便座支持体２に突設された固定ピン３３に係合され、他端が回動片３１に突設された可動ピン３４に係合されている）と、同回動片３１と一体的に回動する操作片３５と、でロック手段７が形成され、該ロック手段７は便座支持体２の後部両側に配設されている。
【００４４】
したがって、この場合、通常時には、便座支持体２の後部両側で、コイルバネ３２の弾性により両回動片３１の先端が便座本体５の外周面の適所に当止し、この位置で該便座本体５の回動が停止された固定状態は保持されている。又、便座本体５を回動させる際には、操作片３５をコイルバネ３２の弾性に抗し外方へ引き操作することによって、該操作片３５と共に回動片３１が回動して該回動片３１の先端は便座本体５の外周面から離れ、前記固定状態が解除される。
【００４５】
しかも、この場合、両ロック手段７が便座支持体２の後部両側に配設されているので、着座する人の脚が邪魔にならないように上記固定及び解除操作を簡単に行うことができ、特に、介護者にとって操作し易くなる。なお、ロック手段７以外は、上記図１〜９に示した実施形態と全く同様に構成されているので、上記図１〜９に示した実施形態におけると同様の作用効果が奏される。
【００４６】
図１６は、本発明の更に別の実施形態を示しており、該実施形態の便座装置においては、便座本体５の外周下縁に突設される凸起２５と、便座支持体２の内周底面に凹設される凹溝２６と、でストッパー手段９が形成されている。なお、ストッパー手段９以外は、上記図１〜９に示した実施形態と全く同様に構成されているので、上記図１〜９に示した実施形態におけると同様の作用効果が奏される。
【００４７】
なお、本発明の便座装置において、便座本体５が昇降機構を介して高さ調整自在となるように形成することも可能であり、そうした場合には、使用者が着座したり立ち上がったりする動作や、これを補助する介護作業がより簡単に行えるようになる。
【００４８】
【発明の効果】
上述の如く、本発明の請求項１記載の便座装置においては、便座本体が安定した状態で回動され、ガイド手段に荷重が均等にかかることにもなって、該便座本体は安定して確実に支持されると共にスムーズに回動され、又、ガイド手段での防水性、耐蝕性、メンテナンス性も向上される。
【００４９】
又、本発明の請求項１記載の便座装置においては、特に、リング状の回転ベアリングで形成されるガイド手段にはより均等に荷重がかかることになって、便座本体は更にスムーズに回動されるようになり、この場合、製造も簡単となる。さらに、便座本体にかかる着座した人の荷重が内下方へ傾斜した便座支持体の上面（回転ベアリングの下受け部材の上面）と直交する方向で受けられるので、便座本体の回動中心がずれ動き難くて該便座本体は安定した状態で回動され、略円形状のガイド手段に周方向で均等に荷重がかかることにもなって、同便座本体は安定して確実に支持されると共にスムーズに回動される。
【００５０】
又、本発明の請求項２記載の便座装置においては、特に、ロック手段で便座本体を固定することによって、安定した座り心地の良さを得ることができ、又、便座本体の不用意な回動を防止して安全性を向上させることもできる。
【００５１】
又、本発明の請求項３記載の便座装置においては、特に、通常時は必然的に便座本体の固定状態が保持されるので、安全性は更に向上され、又、弾性に抗しロック手段を操作することによって簡単に固定状態を解除することができる。
【００５２】
又、本発明の請求項４記載の便座装置においては、特に、便座本体を所定の回動位置で静止させる際、該便座本体に弾接するラッチ手段によって位置決め作業が容易に行われるようになる。
【００５３】
又、本発明の請求項５記載の便座装置においては、特に、ラッチ手段により便座本体が通常使用状態の真正面前方を向いた位置で静止されて、同通常使用状態への復帰は容易となり、使い勝手が更に良好となる。
【００５４】
又、本発明の請求項６記載の便座装置においては、特に、ストッパー手段によって便座本体の必要以上な回動を防止することができ、使い勝手や安全性をより向上させることができる。
【００５５】
又、本発明の請求項７記載の便座装置においては、特に、便座本体の回動に伴い拭き取り手段で自動的に同便座本体の表面上の汚れやゴミ等は除去され、衛生状態が保持されると共に清掃作業も簡略化される。
【図面の簡単な説明】
【図１】本発明の一実施形態である便座装置を示す概略縦断面図。
【図２】同便座装置を示す概略分解斜視図。
【図３】同便座装置を示す縦断面図。
【図４】同便座装置を示す平面図。
【図５】同便座装置の要部を示す縦断面図。
【図６】同便座装置の要部を示す横断面図。
【図７】同便座装置の要部を示す平面図。
【図８】同便座装置の要部を示す概略横断面図。
【図９】同便座装置の要部を示す縦断面図。
【図１０】本発明の別の実施形態である便座装置を示す概略斜視図。
【図１１】本発明の参考例である便座装置を示す概略縦断面図。
【図１２】本発明の参考例である便座装置を示す概略縦断面図。
【図１３】本発明の参考例である便座装置を示す概略縦断面図。
【図１４】本発明の参考例である便座装置を示す概略縦断面図。
【図１５】本発明の更に別の実施形態である便座装置の要部を示す横断面図。
【図１６】本発明の更に別の実施形態である便座装置の要部を示す概略分解斜視図。
【図１７】従来例である便座装置を示す平面図。
【図１８】図１７におけるＫ−Ｋ断面図。
【符号の説明】
１  便器
２  便座支持体
３  上面
４  ガイド手段
５  便座本体
６  回転ベアリング
７  ロック手段
８  ラッチ手段
９  ストッパー手段
１０  拭き取り手段
【図１】
0003565015.tif 000002
【図２】
0003565015.tif 000003
【図３】
0003565015.tif 000004
【図４】
0003565015.tif 000005
【図５】
0003565015.tif 000006
【図６】
0003565015.tif 000007
【図７】
0003565015.tif 000008
【図８】
0003565015.tif 000009
【図９】
0003565015.tif 000010
【図１０】
0003565015.tif 000011
【図１１】
0003565015.tif 000012
【図１２】
0003565015.tif 000013
【図１３】
0003565015.tif 000014
【図１４】
0003565015.tif 000015
【図１５】
0003565015.tif 000016
【図１６】
0003565015.tif 000017
【図１７】
0003565015.tif 000018
【図１８】
0003565015.tif 000019